(57)【要約】【課題】通話を中断することなく携帯電話機の各種操作も同時に行うことの可能な携帯電話機を提供する。【解決手段】本実施形態の携帯電話機１においては、操作部２と通話部３とが分離可能であり、且つ、専用の接続線で接続されている。通話部３の制御は、ライン４を介して操作部２内の制御部２２で行う。ライン４を介して通話の制御を行うので、無線式の分離型携帯電話機と比較して混線を引き起こすこともなく、また、通話部３側に制御機能を設ける必要もなくなる。さらには、分離後において、操作部２側か通話部３側のいずれか一方を紛失してしまうことを防止する効果も得られる。【選択図】図１
2007110439.tif 000002
【特許請求の範囲】
【請求項１】
外部機器との通信手段と、音声を入力する音声入力手段と、前記通信手段によって外部から送信された音声を出力する音声出力手段とを備え、通話機能を有する通話部と、
各種の情報を表示する表示手段と、表示された前記情報を操作する操作手段とを備え、前記情報の操作表示を行う操作表示部とを有する携帯電話機であって、
前記通話部と前記操作表示部とは分離可能であり、かつ、分離時に前記通話部と前記操作表示部とが専用の接続線で接続されることを特徴する携帯電話機。
【請求項２】
前記操作表示部は、前記携帯電話機全体を制御する制御手段を有し、
前記通話部は、前記接続線を介して前記操作表示部により制御されることを特徴とする請求項１に記載の携帯電話機。
【請求項３】
前記通話部は、
前記操作表示部と分離しているときに、前記通話部にて外部からの音声を入力する副音声入力手段をさらに有することを特徴とする請求項１または２に記載の携帯電話機。
【請求項４】
前記副音声入力手段の動作時には、前記音声入力手段は動作しないことを特徴とする請求項３に記載の携帯電話機。
【請求項５】
前記操作表示部は、
前記通話部と分離しているときに、前記操作表示部にて画像信号を表示する副表示手段をさらに有することを特徴とする請求項１または２に記載の携帯電話機。
【請求項６】
前記副表示手段の動作時には、前記表示手段は動作しないことを特徴とする請求項５に記載の携帯電話機。
【請求項７】
前記通話部と前記操作表示部とが一体化しているときに、前記接続線を収納する接続線収納手段をさらに有することを特徴とする請求項１から６のいずれか１項に記載の携帯電話機。
【請求項８】
前記接続線は、巻き取られて前記接続線収納手段に収納されることを特徴とする請求項７に記載の携帯電話機。
【発明の詳細な説明】
【技術分野】
【０００１】
本発明は、通話部と操作部とを分離して使用することが可能な携帯電話機に関する。
【背景技術】
【０００２】
近年、携帯通信端末が著しく高性能化しており、特に携帯電話機などにおいては単に通話する機能のみならず、メール機能や、インターネットへのアクセス機能、静止画・動画の撮影、さらにはＴＶや音楽の視聴・鑑賞など、様々な機能を有する高機能端末と化している。
【０００３】
従来の携帯電話機においては、通話を行う場合とメールやメモリダイヤル参照など各種操作を行う場合とで、それぞれ独立して作業を行っている。例えば、通話をしている最中には通話だけを行い、前述したメールやメモリダイヤル参照などの各種操作を行うことはできない。携帯電話機で各種操作を行う場合には、通話中以外の時に操作を行うか、あるいは、通話を一旦中断して操作を行うことになる。
【０００４】
このように、通話と操作とを同時に行うことは、従来の携帯電話機では考慮されていない。したがって、携帯電話機で通話を行うと、普段携帯電話機を用いて行っているメール操作やメモリダイヤルの検索など、操作に係る作業のほとんどが制約を受けることになる。
【０００５】
また、通話中であっても前述したような操作機能を行えるように、携帯電話機のソフトウェア上の設定にて対応することも考えられる。しかしこの場合であっても、通話中には画面を見ることができない。これは、携帯電話機の形状から発生する問題であり、従来のものでは通話中に画面を見ることが難しく、また、通話中に端末を操作しづらいからである。
【０００６】
このような問題を解決する従来技術としては、特許文献１に開示された発明が公知である。特許文献１には、電話機能部と情報処理機能部とが分離可能であり、各機能部のキー操作や筐体の駆動、内蔵アプリケーションの実行などに基づいて電話機能部と情報処理機能部との使用状態を判断し、ユーザが使用している機能部を優先的に着信することによって操作性を向上させる発明が記載されている。
【特許文献１】特開２００４−１７３１５６号公報
【発明の開示】
【発明が解決しようとする課題】
【０００７】
上述したように、従来の携帯電話機は、通話中の端末操作の場合、一旦通話を切断する必要があり不便であった。また、通話中の端末操作が可能な場合であっても、それを考慮した形状をしておらず、画面が見づらい、端末を操作しづらいなどの欠点がある。
【０００８】
また、特許文献１に開示された発明は、電話機能部と情報処理機能部とが完全に分離可能であるため、どちらか一方を紛失し易い。また、電話機能部と情報処理機能部との情報処理が無線によって送受信されているので、このような機能を有する携帯電話機が操作者の近傍で多数使用される場合、すなわち、特許文献１に開示された携帯電話機と同様な構成を有する携帯電話機が、操作者の近傍で多数使用される場合には、混線を引き起こす可能性が極めて高い。
【０００９】
このような課題に鑑み、本発明は、通話を中断することなく携帯電話機の各種操作も同
時に行うことの可能な携帯電話機を提供することを目的としている。
【課題を解決するための手段】
【００１０】
上記の目的を達成するため、請求項１に記載の発明は、外部機器との通信手段と、音声を入力する音声入力手段と、通信手段によって外部から送信された音声を出力する音声出力手段とを備え、通話機能を有する通話部と、各種の情報を表示する表示手段と、表示された情報を操作する操作手段とを備え、情報の操作表示を行う操作表示部とを有する携帯電話機であって、通話部と操作表示部とは分離可能であり、かつ、分離時に通話部と操作表示部とが専用の接続線で接続されることを特徴する。
【００１１】
請求項２に記載の発明は、請求項１に記載の携帯電話機において、操作表示部は、携帯電話機全体を制御する制御手段を有し、通話部は、接続線を介して操作表示部により制御されることを特徴とする。
【００１２】
請求項３に記載の発明は、請求項１または２に記載の携帯電話機において、通話部は、操作表示部と分離しているときに、通話部にて外部からの音声を入力する副音声入力手段をさらに有することを特徴とする。
【００１３】
請求項４に記載の発明は、請求項３に記載の携帯電話機において、副音声入力手段の動作時には、音声入力手段は動作しないことを特徴とする。
【００１４】
請求項５に記載の発明は、請求項１または２に記載の携帯電話機において、作表示部は、通話部と分離しているときに、操作表示部にて画像信号を表示する副表示手段をさらに有することを特徴とする。
【００１５】
請求項６に記載の発明は、請求項５に記載の携帯電話機において、副表示手段の動作時には、表示手段は動作しないことを特徴とする。
【００１６】
請求項７に記載の発明は、請求項１から６のいずれか１項に記載の携帯電話機において、通話部と操作表示部とが一体化しているときに、接続線を収納する接続線収納手段をさらに有することを特徴とする。
【００１７】
請求項８に記載の発明は、請求項７に記載の携帯電話機において、接続線は、巻き取られて接続線収納手段に収納されることを特徴とする。
【発明の効果】
【００１８】
このように、本発明の携帯電話機によれば、従来から携帯電話機で使用されている全ての装置に適用可能であり、更に、通話部と操作部とを繋ぐための専用線を有するため、通話を行いながら同時に端末操作を行うことができる。
【発明を実施するための最良の形態】
【００１９】
以下に、本実施形態における携帯電話機を、図面を用いて説明する。なお、本実施形態は、以下に述べるものに限定されず、その趣旨を逸脱しない範囲において種々変更が可能である。
図１は、本実施形態の携帯電話機１の外観図である。
【００２０】
図１に示すように、本実施形態の携帯電話機１は、通話部２と、操作部３とを備えている。そして、通話部２と操作部３とは、ライン４を介して接続されている。以下に、各部ごとに説明する。
【００２１】
まず、通話部２について説明する。
通話部２は、メインディスプレイ５１と、スピーカ６と、サブマイク７１とを備えている。
【００２２】
メインディスプレイ５１は、各種の画像データを表示させるためのものであり、通話部２と操作部３とが一体化されているときには、通常、メインディスプレイ５１に各種情報が表示されることになる。スピーカ６は、外部から受信した音声信号を音声化して出力するものである。
【００２３】
サブマイク７１は、外部の音声を音声信号として取得するものである。そして、このサブマイク７１は、通話部２と操作部３とが一体化されているときには動作しない。一体化時には、後述する操作部３のメインマイク７２が、サブマイク７１と同様の動作を行うことになる。
【００２４】
次に、操作部３について説明する。
操作部３は、サブディスプレイ５２と、メインマイク７２と、ヒンジ部８と、巻き取りボタン９と、各種操作キーを備えている。
【００２５】
サブディスプレイ５２は、メインディスプレイ５１と同様に各種の画像データを表示させるためのものであり、通話部２と操作部３とが分離しているときには、このサブディスプレイ５２を参照しながら各種の操作を行う。例えば、通話時におけるメールやメモリダイヤルの参照は、サブディスプレイ５２で行うことになる。なお、通話部２と操作部３とが一体化しているときは、メインディスプレイが表示機能を果たしており、このサブディスプレイ５２は動作を行わない。
【００２６】
メインマイク７２は、サブマイク７１と同様に、外部の音声を音声信号として取得するものである。携帯電話機１が通話部２と操作部３とに分離している場合には、前述した通話部２のサブマイク７１を利用するので、分離時には、メインマイク７２は動作を行わない。
【００２７】
ヒンジ部８は、本実施形態の携帯電話機１において、通話部２と操作部３とを接続するものである。詳しくは後述するが、通話部２と操作部３とを分離させる際に、ヒンジ部８内のストッパ（接続ユニット８３）を外すことになる。また、巻き取りボタン９は、通話部２と操作部３とを一体化させるときに、ライン４を巻き取るためのボタンである。
【００２８】
そして、ライン４は、通話部２と操作部３とを接続する専用の接続線である。携帯電話機１が通話部２と操作部３とに分離しているときには、図１や図２に示すように、通話部２と操作部３とのヒンジ部からライン４が露出するように伸びている。ライン４の長さは特に限定されるものではないが、ユーザの利便性を考慮すると約３０ｃｍが好ましい。
【００２９】
実際に通話部２と操作部３とを分離する際の携帯電話機１の構成を説明する。図３は、本実施形態の携帯電話機を分離する場合のヒンジ部を示す図である。
本実施形態のヒンジ部８は、分離ボタン８１と、操作部３側のヒンジ部８２ａ，通話部２側のヒンジ部８２ｂと、接続ユニット８３とを備えている。
【００３０】
図３（ａ）は、操作部３側のヒンジ部を拡大した図である。ここで示すように、操作部３側には通話部２と直接接続するヒンジ部８２ａを備えており、このヒンジ部８２ａの接続口から、ライン４が外部（通話部２側のヒンジ部８２ｂ）へと伸びている。
【００３１】
通話部２と操作部３とが一体化されているときは、図３（ｂ）に示すように、ヒンジ部
８２ａ，８２ｂを直接接続する接続ユニット８３によって接続されている。この接続ユニット８３は、通常ヒンジ部８２ｂと一体化されており、通話部２と操作部３との分離時には通話部２側のヒンジ部８２ｂ内に残ることになる。また、この接続ユニット８３の引っ掛け部は、ヒンジ部８２ａの内部に引っかかるようにして接続されている。ヒンジ部８２ａ，８２ｂ及び接続ユニット８３の内部は空洞化されており、この内部をライン４が通っている。
【００３２】
通話部２と操作部３とを分離する際には、図３（ｃ）に示すように、操作部３側のヒンジ部外側の位置に設けられた分離ボタン８１を内側に押す。これにより、接続ユニット８３の引っ掛け部、すなわち、接続ユニットがヒンジ部８２ａ内部で引っかかるように接蔵している部分が内側にスライドする。このように引っ掛け部をスライドさせた後、図３（ｄ）に示すように、通話部２を上部に引っ張ると、通話部２と操作部３とが分離することになる。
【００３３】
一方、通話部２と操作部３とが一体化されているときには、図４に示すように、ライン４が巻き取られてライン収納部１０に収納されることになる。分離された状態の通話部２と操作部３とを一体化する場合には、巻き取りボタン９を押すことによって、例えば、市販の掃除機のコンセントを収納する要領で巻き取ることができる。
【００３４】
なお、本実施形態では、ライン４の収納方法を巻き取りボタン９による巻き取り方式として説明したが、ライン４を収納できれば、この方法に限定されない。また、通話部２と操作部３との分離・接続箇所をヒンジ部の中央の位置として説明した。しかし、ヒンジ部における携帯電話機の回動動作を妨げるようなことがなければこれも限定されるものではなく、例えば、ヒンジ部外側の両脇にストッパを設けて、このストッパの近傍に通話部２または操作部３を差し込むようにして一体化することとしてもよい。
【００３５】
従来の携帯電話機においては、図５（ａ）に示すように、各種の操作と通話とが完全に独立しており、通話時に操作・表示を行いたい場合には不便であった。しかし、本実施形態の携帯電話機によれば、図５（ｂ）に示すように、通話部２と操作部３とを分離することが可能なため、通話を行いながら同時に携帯電話機での操作・表示を行うことができる。
【００３６】
次に、本実施形態の携帯電話機におけるソフトウェア構成について、図面を用いて説明する。
図６は、本実施形態の携帯電話機のソフトウェア構成を示すブロック図である。
【００３７】
本実施形態の携帯電話機は、前述したように、操作部２と通話部３とを備えている。
操作部２は、通信部２１と、制御部２２と、ＲＯＭ２３と、ＲＡＭ２４と、副表示部２５ｂと、キー操作部２６と、電源部２７と、撮像部２８と、画像処理部２９と、メインマイク３１ａとを備えている。また、通話部３は、主表示部２５ａと、サブマイク３１ｂとスピーカ３２とを備えている。これらの各機能部は、バス等の制御線を介して接続するように構築されることになる。そして、操作部２と通話部３とは、ライン４で接続されている。
【００３８】
まず、操作部２から説明する。
通信部２１は、外部から送信されてくる信号の受信、及び、携帯電話機１からの信号の送信を行うものである。制御部２２は、携帯電話機１全体の制御を行うものであり、キー操作部２６からの操作信号に基づいて、外部からの受信信号を音声信号と画像信号とに分離し、音声信号はスピーカ３２へ、画像信号は副表示部２５ｂへ、それぞれ出力する。また、制御部２２は、キー操作部２６からの操作信号に基づいて、通信部２１から受信して
分離した画像信号と音声信号とをＲＡＭ２４に記憶することになる。
【００３９】
また、制御部２２は、撮像部２８により撮像した映像データの画像信号やマイク３１により取得した音声情報の音声信号をＲＡＭ２４に記憶したり、撮像部２８により撮像した映像データに画像処理を施した画像信号をＲＡＭ２４に記憶したりすることになる。例えば、撮像部２８により撮像した映像データの画像信号を、例えば、カメラバッファ等ＲＡＭ２４に一度記録し、制御部２２が、ＲＡＭ２４に一度記録した画像信号を読み出して、制御部２２と画像処理部２９との間で画像処理を行うことになる。
【００４０】
また、制御部２２は、キー操作部２６からの操作信号に基づいて、ＲＡＭ２４に記憶された画像信号や音声信号を読み出し、通信部２１を介して外部に送信することになる。また、キー操作部２６からの操作信号に基づいて、ＲＡＭ２４に記憶された画像信号を読み出し、副表示部２５ｂに表示したり、ＲＡＭ２４に記憶された音声信号を読み出し、スピーカ３２に出力したりすることになる。
【００４１】
ＲＯＭ２３は、携帯電話機１の制御を行うための制御プログラム、アプリケーション等の情報を記録するものである。なお、本実施形態の携帯電話機１の構成では、ＲＯＭ２３内に各種情報を格納したが、ＲＯＭ２３に格納した情報をＰＲＯＭ（Programmable ROM）やフラッシュメモリ内に格納し、各種情報を書き換え可能にすることも可能である。これにより、通話者が携帯電話機１の具備するキー操作部２６を用いて、任意に情報を書き換えることが可能となる。なお、ＰＲＯＭとしては、ＥＰＲＯＭ（Electrically Programmable ROM）やＥＥＰＲＯＭ（ElectricallyErasable Programmable ROM）などが挙げられ
る。また、フラッシュメモリとしては、ＮＡＮＤフラッシュメモリなどが挙げられる。また、ＨＤＤのような記憶デバイスに格納することも可能である。
【００４２】
ＲＡＭ２４は、所定のアプリケーションプログラムを起動したとき、そのプログラムを実行する際に使用する画像信号や音声信号等の情報を一時的に記録し、情報の読み書きを行うための作業領域となる記憶部である。なお、アクセススピードの速いＤＤＲやＲＤ等のデバイスを適用することで、情報処理の高速化を図ることが可能となる。
【００４３】
副表示部２５ｂは、画像データを表示させるためのものであり、制御部２２からの画像信号に基づいて画像を表示することになる。なお、副表示部２５ｂにＶＲＡＭ（Video Random Access Memory）を搭載することによって、画像データを表示する際の処理の高速化を図ることも可能である。キー操作部２６は、各種機能の選択や、携帯電話機１の機能を操作するものであり、キー操作部２６から制御部２２に操作信号を送信することになる。電源部２７は、各機能部が動作するための電力を供給するものである。
【００４４】
撮像部２８は、外部の映像データを撮影するものであり、撮像部２８で撮影された映像データ（静止画、動画）の画像信号を生成し、制御部２２に送信するものである。なお、撮像部２８にて撮像可能な画像サイズとしては、ＣＩＦ（Common Intermediate Format）、ＱＣＩＦ（QuarterCommon Intermediate Format）、ＶＧＡ（Video Graphics Array）、ＱＶＧＡ（Quarter Video Graphics Array）等が適用可能である。ちなみに、これらの画像サイズは一例であり、あらゆる画像サイズを適用することが可能である。画像処理部２９は、撮像部２８で撮影された映像データや、ＲＡＭ２４やＲＯＭ２３に記憶された画像信号における、色変換処理やリサイズ処理等の画像処理を行うものである。
【００４５】
次に、通話部３について説明する。
主表示部２５ａは、前述した副表示部と同様に、画像データを表示させるためのものであり、制御部２２からの画像信号に基づいて画像を表示するものである。サブマイク３１ｂも、前述したメインマイク３１ａと同様に、外部の音声を音声信号として取得するもの
である。スピーカ３２は、音声信号を音声として出力するものである。
【００４６】
そして、これら通話部３に係る制御は、操作部２の制御部２２からライン４を介して行われる。具体的には、主表示部２５ａの画像表示に関する信号処理や、サブマイク３１ｂが取得した外部から音声の音声信号化後の処理、スピーカ３２へ音声信号を音声として出力する際の処理などの、通話部３と操作部２とのやり取りを媒介することになる。
【００４７】
本実施形態の携帯電話機の通常使用時には、従来の携帯電話機と変わらず操作部と通話部とが密接しているが、例えば、通話中にメールや撮影画像の表示、メモリダイヤルの参照などを行いたい場合には、操作部２と通話部３とを分離して、ライン４のみで接続されている状態になる。
【００４８】
このように、本実施形態の携帯電話機は、通話専用部分と操作専用部分とを分離することができ、且つ、通話専用部分と操作専用部分とが有線で接続されているので、通話中にディスプレイを見ながら各種の操作を行うことが可能となる。すなわち、通話中にメール参照、メール作成、メモリダイヤル参照、メモ作成、カメラ撮影など、現在携帯電話機に搭載されている様々な機能を、ほとんど使用することができる。また、通話部と操作部とが有線にて接続され情報のやり取りを行っているので、無線で情報のやり取りを行う分離式の携帯電話機のように、混線状態に陥ることがない。
【００４９】
次に、本実施形態の携帯電話機の分離時における動作について説明する。
図７は、本実施形態の携帯電話機の分離時における動作を示すフローチャートである。この図７では、本実施形態の携帯電話機で通話している最中に、操作部２と通話部３とに分離した場合として説明する。
【００５０】
まず、本実施形態の携帯電話機にて通話が開始された後（ステップＳ１０１）、携帯電話機が分離するか否か確認する（ステップＳ１０２）。携帯電話機を分離させる場合には（ステップＳ１０２／Ｙｅｓ）、操作部２と通話部３とを分離する（ステップＳ１０３）と同時に、ライン４をユーザの所望の長さまで引っ張り出す（ステップＳ１０４）。
【００５１】
このとき、操作部２内の制御部２２は、通話相手先からの音声や画像に係る信号を画像処理部２９や図示しない音声処理部などでデータ化して、表示部２５への表示やスピーカ３２への音声出力を行うことになる。また、ユーザの発する音声などを音声信号化して通話先に送信する場合にも、マイク３１から集音した音声を送信する制御は、このライン４を介して制御部２２で行われる。
【００５２】
操作部２と通話部３との分離後、通話や操作部の利用などが終了して、再度、操作部２と通話部３とを一体化させる場合（ステップＳ１０５）には、引っ張り出したライン４を格納して（ステップＳ１０６）、操作部２と通話部３とを一体化させる（ステップＳ１０７）。
なお、携帯電話機を分離させない場合には（ステップＳ１０２／Ｎｏ）、そのまま、公知の携帯電話機と同様の使用方法にて通話を行うことになる。
【図面の簡単な説明】
【００５３】
【図１】本実施形態の携帯電話機を正面から見た場合の外観図である。
【図２】本実施形態の携帯電話機を側面から見た場合の外観図である。
【図３】本実施形態の携帯電話機におけるヒンジ部の拡大図である。
【図４】本実施形態の携帯電話機を背面から見た場合の外観図である。
【図５】従来および本発明の携帯電話機の使用スタイルを模式的に示す図である。
【図６】本実施形態の携帯電話機のソフトウェア構成を示すブロック図である。
【図７】本実施形態の携帯電話機の分離時における動作を示すフローチャートである。
【符号の説明】
【００５４】
１    携帯電話機
２    操作部
３    通話部
４    ライン
５１    メインディスプレイ
５２    サブディスプレイ
６    スピーカ
７１    サブマイク
７２    メインマイク
８，８２ａ，８２ｂ    ヒンジ部
８１    分離ボタン
８３    接続ユニット
９    巻き取りボタン
１０    ライン収納部
【図１】
2007110439.tif 000003
【図２】
2007110439.tif 000004
【図３】
2007110439.tif 000005
【図４】
2007110439.tif 000006
【図５】
2007110439.tif 000007
【図６】
2007110439.tif 000008
【図７】
2007110439.tif 000009